【手続補正書】
【提出日】平成22年9月29日(2010.9.29)
【手続補正１】
【補正対象書類名】明細書
【補正対象項目名】０００１
【補正方法】変更
【補正の内容】
【０００１】
本発明は、パチンコ遊技機などで代表される遊技機に関する。詳しくは、識別情報の可変表示を行ない、表示結果を導出表示可能な可変表示装置を備え、前記可変表示装置に導出表示された表示結果が特定表示結果となったときに遊技者にとって有利な特定遊技状態に制御可能となり、前記可変表示装置に導出表示された表示結果が前記特定表示結果のうちの特別表示結果となったときに前記特定遊技状態の発生確率が向上された高確率状態にさらに制御可能となる遊技機に関する。
【手続補正２】
【補正対象書類名】明細書
【補正対象項目名】０００２
【補正方法】変更
【補正の内容】
【０００２】
この種の遊技機として従来から一般的に知られているものに、たとえば、パチンコ遊技機のように、識別情報の可変表示を行ない、表示結果を導出表示可能な可変表示装置を備え、前記可変表示装置に導出表示された表示結果が特定表示結果となったときに遊技者にとって有利な特定遊技状態に制御可能となり、前記可変表示装置に導出表示された表示結果が前記特定表示結果のうちの特別表示結果となったときに前記特定遊技状態の発生確率が向上された高確率状態にさらに制御可能となる遊技機がある。
【手続補正３】
【補正対象書類名】明細書
【補正対象項目名】０００３
【補正方法】変更
【補正の内容】
【０００３】
このような遊技機においては、特定遊技状態となるか否かをあらかじめ判定し、特定遊技状態になる可能性があることを予告報知し、遊技者に期待感を持たせ遊技演出を盛り上げ興趣を向上させようとするものがあった。
【手続補正４】
【補正対象書類名】明細書
【補正対象項目名】０００４
【補正方法】変更
【補正の内容】
【０００４】
しかしながら、上記のような遊技機においては、予告としての特別演出が行なわれたにも関わらず、可変表示装置の表示結果が特別表示結果以外の特定表示結果になってしまうことや、あるいはリーチ状態にもならないことがあったので、遊技者を興ざめさせてしまうという問題があった。
【手続補正５】
【補正対象書類名】明細書
【補正対象項目名】０００５
【補正方法】変更
【補正の内容】
【０００５】
この発明は上述の問題に鑑みてなされたものであって、その目的は、遊技者を興ざめさせることを防止可能となる遊技機を提供し、遊技の興趣性を向上させることである。
【手続補正６】
【補正対象書類名】明細書
【補正対象項目名】０００６
【補正方法】変更
【補正の内容】
【０００６】
（１）  識別情報の可変表示を行ない、表示結果を導出表示可能な可変表示装置を備え、前記可変表示装置に導出表示された表示結果が特定表示結果となったときに遊技者にとって有利な特定遊技状態に制御可能となり、前記可変表示装置に導出表示された表示結果が前記特定表示結果のうちの特別表示結果となったときに前記特定遊技状態の発生確率が向上された高確率状態にさらに制御可能となる遊技機であって、
前記表示結果を前記特定表示結果とするか否か、前記表示結果を前記特別表示結果とするか否か、および前記可変表示装置におけるリーチ状態の有無を決定する遊技制御手段と、
前記遊技制御手段の決定に従って制御を行なう制御手段と、
所定の演出を行なう演出制御手段とを備え、
前記遊技制御手段は、前記特定表示結果とするか否かおよび前記可変表示装置におけるリーチ状態の有無を特定可能な第１コマンドを前記制御手段へ送信し、
前記制御手段は、前記第１コマンドを参照して前記特定遊技状態の発生の予告としての特別演出の有無を決定する予告演出決定手段を含み、
前記制御手段は、前記予告演出決定手段の決定結果を特定可能な第２コマンドを前記演出制御手段へ送信し、
前記演出制御手段は、前記第２コマンドに従って前記所定の演出を行ない、
前記予告演出決定手段は、前記高確率状態中は前記遊技制御手段が前記特別表示結果とすると決定したときおよびリーチ状態発生後に前記表示結果が前記特定表示結果とならないときに限り前記特別演出を行なうことを決定する。
【手続補正７】
【補正対象書類名】明細書
【補正対象項目名】０００７
【補正方法】変更
【補正の内容】
【０００７】
上述の構成によれば、特別遊技状態において特別演出が行なわれたにも関わらず、可変表示装置の表示結果が特別表示結果以外の特定表示結果になってしまうことや、あるいはリーチ状態にもならないといったことがない。その結果、遊技者を興ざめさせることはなく、遊技の興趣を向上させることができる。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２５
【補正方法】変更
【補正の内容】
【００２５】
以下に、本発明の実施の形態を図面にもとづいて説明する。なお、以下の実施の形態においては、遊技機の一例としてパチンコ遊技機を示すが、識別情報の可変表示を行ない、表示結果を導出表示可能な可変表示装置を備え、前記可変表示装置に導出表示された表示結果が特定表示結果となったときに遊技者にとって有利な特定遊技状態に制御可能となり、前記可変表示装置に導出表示された表示結果が前記特定表示結果のうちの特別表示結果となったときに前記特定遊技状態の発生確率が向上された高確率状態にさらに制御可能となる遊技機であれば他の遊技機においても適用することが可能である。
【手続補正２５】
【補正対象書類名】特許請求の範囲
【補正対象項目名】全文
【補正方法】変更
【補正の内容】
【特許請求の範囲】
【請求項１】
識別情報の可変表示を行ない、表示結果を導出表示可能な可変表示装置を備え、前記可変表示装置に導出表示された表示結果が特定表示結果となったときに遊技者にとって有利な特定遊技状態に制御可能となり、前記可変表示装置に導出表示された表示結果が前記特定表示結果のうちの特別表示結果となったときに前記特定遊技状態の発生確率が向上された高確率状態にさらに制御可能となる遊技機であって、
前記表示結果を前記特定表示結果とするか否か、前記表示結果を前記特別表示結果とするか否か、および前記可変表示装置におけるリーチ状態の有無を決定する遊技制御手段と、
前記遊技制御手段の決定に従って制御を行なう制御手段と、
所定の演出を行なう演出制御手段とを備え、
前記遊技制御手段は、前記特定表示結果とするか否かおよび前記可変表示装置におけるリーチ状態の有無を特定可能な第１コマンドを前記制御手段へ送信し、
前記制御手段は、前記第１コマンドを参照して前記特定遊技状態の発生の予告としての特別演出の有無を決定する予告演出決定手段を含み、
前記制御手段は、前記予告演出決定手段の決定結果を特定可能な第２コマンドを前記演出制御手段へ送信し、
前記演出制御手段は、前記第２コマンドに従って前記所定の演出を行ない、
前記予告演出決定手段は、前記高確率状態中は前記遊技制御手段が前記特別表示結果とすると決定したときおよびリーチ状態発生後に前記表示結果が前記特定表示結果とならないときに限り前記特別演出を行なうことを決定することを特徴とする、遊技機。